(57)【要約】【課題】  フォーカスレンズ群の駆動制御が容易で、広角端における射出瞳から像面までの距離を長くすることのできるポジティブリードタイプのズームレンズを提供することである。【解決手段】  物体側から像側へ順に配置された正の屈折力を有する第１レンズ群Ｌ１、負の屈折力を有する第２レンズ群Ｌ２、複数のレンズ群を含み正の屈折力を有する後群ＬＢからなるズームレンズにおいて、後群ＬＢは、フォーカシングに際して移動し負の屈折力を有するレンズ群ＬＦと、レンズ群ＬＦの像側に配置された負の屈折力を有するレンズ群ＬＮと、レンズ群ＬＮの像側に配置された正の屈折力を有するレンズ群のうち最大の正の屈折力を有するレンズ群ＬＰと、を含む。レンズ群ＬＰとレンズ群ＬＮは広角端から望遠端へのズーミングに際して所定の軌跡でそれぞれ物体側に移動する。レンズ群ＬＰとレンズ群ＬＦは所定の条件式を満足する。【選択図】  図１
2018146739.tif 000002
【特許請求の範囲】
【請求項１】
物体側から像側へ順に配置された、正の屈折力を有する第１レンズ群、負の屈折力を有する第２レンズ群、複数のレンズ群を含み正の屈折力を有する後群からなり、ズーミングに際して隣り合うレンズ群の間隔が変化するズームレンズであって、
前記後群は、フォーカシングに際して移動し負の屈折力を有するレンズ群ＬＦと、前記レンズ群ＬＦの像側に配置された負の屈折力を有するレンズ群ＬＮと、前記レンズ群ＬＮの像側に配置された正の屈折力を有する少なくとも１つのレンズ群と、を含み、
前記正の屈折力を有する少なくとも１つのレンズ群のうち最も屈折力の大きなレンズ群ＬＰと前記レンズ群ＬＮは、広角端から望遠端へのズーミングに際して前記レンズ群ＬＰと前記レンズ群ＬＮの間隔が大きくなるようにそれぞれ物体側に移動し、
前記レンズ群ＬＰの焦点距離をｆＬＰ、前記レンズ群ＬＦの焦点距離をｆＬＦとしたとき、
０．３６＜｜ｆＬＦ／ｆＬＰ｜＜１．３０
なる条件式を満足することを特徴とするズームレンズ。
【請求項２】
望遠端における前記ズームレンズの焦点距離をｆｔとしたとき、
０．２＜｜ｆＬＦ／ｆｔ｜＜１．０
なる条件式を満足することを特徴とする請求項１に記載のズームレンズ。
【請求項３】
広角端における前記ズームレンズの焦点距離をｆｗとしたとき、
１．０＜ｆＬＰ／ｆｗ＜７．０
なる条件式を満足することを特徴とする請求項１または２に記載のズームレンズ。
【請求項４】
広角端から望遠端へのズーミングに伴う前記レンズ群ＬＰの移動量をｍＬＰ、望遠端での前記ズームレンズの焦点距離をｆｔとしたとき、
０．０５＜ｍＬＰ／ｆｔ＜０．５０
なる条件式を満足することを特徴とする請求項１乃至３のいずれか１項に記載のズームレンズ。
【請求項５】
広角端での前記レンズ群ＬＮと前記レンズ群ＬＰの間隔をｄｗ、望遠端での前記レンズ群ＬＮと前記レンズ群ＬＰの間隔をｄｔ、望遠端での前記ズームレンズの焦点距離をｆｔとしたとき、
０．０５＜（ｄｔ−ｄｗ）／ｆｔ＜０．５０
なる条件式を満足することを特徴とする請求項１乃至４のいずれか１項に記載のズームレンズ。
【請求項６】
前記レンズ群ＬＮの像側に配置されたレンズ群の広角端での合成横倍率をβｒｗ、前記レンズ群ＬＮの像側に配置されたレンズ群の望遠端での合成横倍率をβｒｔとしたとき、
１．０＜｜βｒｔ／βｒｗ｜＜２．０
なる条件式を満足することを特徴とする請求項１乃至５のいずれか１項に記載のズームレンズ。
【請求項７】
望遠端での前記レンズ群ＬＦの横倍率をβＬＦｔ、前記レンズ群ＬＮの像側に配置されたレンズ群の望遠端での合成横倍率をβｒｔ、望遠端での前記ズームレンズのＦナンバーをＦｎｏｔとしたとき、
０．８＜｜（１−βＬＦｔ２）×βｒｔ２／Ｆｎｏｔ｜＜２．０
なる条件式を満足することを特徴とする請求項１乃至６のいずれか１項に記載のズームレンズ。
【請求項８】
前記レンズ群ＬＦにおける最も物体側のレンズ面の曲率半径をｒ１、前記レンズ群ＬＦにおける最も像側のレンズ面の曲率半径をｒ２とするとき、
１．０＜（ｒ１＋ｒ２）／（ｒ１−ｒ２）＜３．０
なる条件式を満足することを特徴とする請求項１乃至７のいずれか１項に記載のズームレンズ。
【請求項９】
前記レンズ群ＬＮの焦点距離をｆＬＮとしたとき、
０．５＜ｆＬＦ／ｆＬＮ＜１．５
なる条件式を満たすことを特徴とする請求項１乃至８のいずれか１項に記載のズームレンズ。
【請求項１０】
前記第１レンズ群の焦点距離をｆ１、望遠端における前記ズームレンズの焦点距離をｆｔとしたとき、
０．３＜ｆ１／ｆｔ＜２．０
なる条件式を満足することを特徴とする請求項１乃至９のいずれか１項に記載のズームレンズ。
【請求項１１】
前記第２レンズ群の焦点距離をｆ２、広角端における前記ズームレンズの焦点距離をｆｗとしたとき、
０．５＜｜ｆ２／ｆｗ｜＜１．５
なる条件式を満足することを特徴とする請求項１乃至１０のいずれか１項に記載のズームレンズ。
【請求項１２】
前記レンズ群ＬＦは１枚の負レンズからなることを特徴とする請求項１乃至１１のいずれか１項に記載のズームレンズ。
【請求項１３】
前記レンズ群ＬＮは前記レンズ群ＬＦに隣接して配置されていることを特徴とする請求項１乃至１２のいずれか１項に記載のズームレンズ。
【請求項１４】
前記レンズ群ＬＮは１枚の負レンズからなることを特徴とする請求項１乃至１３のいずれか１項に記載のズームレンズ。
【請求項１５】
前記レンズ群ＬＰは１枚の正レンズからなることを特徴とする請求項１乃至１４のいずれか１項に記載のズームレンズ。
【請求項１６】
請求項１乃至１５のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズに関し、デジタルビデオカメラ、デジタルスチルカメラ、放送用カメラ、銀塩フィルム用カメラ、監視用カメラ等に好適なものである。
【背景技術】
【０００２】
ズームレンズの一形態として、最も物体側に正の屈折力の第１レンズ群を配置し、第２レンズ群以降のレンズ群でフォーカシングを行うインナーフォーカス方式またはリアフォーカス方式を採ったポジティブリードタイプのズームレンズが知られている。
【０００３】
特許文献１には、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群からなるポジティブリードタイプのズームレンズが記載されている。特許文献１のズームレンズでは、第４レンズ群をフォーカスレンズ群とすることが好ましいことが記載されている。
【先行技術文献】
【特許文献】
【０００４】
【特許文献１】特開２０１３−１８２０２２号公報
【発明の概要】
【発明が解決しようとする課題】
【０００５】
特許文献１のズームレンズは、フォーカシングを行う第４レンズ群の屈折力に対して、第６レンズ群の屈折力が極めて小さくなっている。このためズームレンズを小型に構成した際に、フォーカス敏感度をフォーカスレンズ群の駆動制御が容易に行える範囲の値にしつつ、広角端において射出瞳から像面までの距離を長くすることが困難であるという課題があった。
【０００６】
本発明の目的は、フォーカスレンズ群の駆動制御が容易で、広角端における射出瞳から像面までの距離を長くすることのできるポジティブリードタイプのズームレンズを提供することである。
【課題を解決するための手段】
【０００７】
本発明のズームレンズは、物体側から像側へ順に配置された、正の屈折力を有する第１レンズ群、負の屈折力を有する第２レンズ群、複数のレンズ群を含み正の屈折力を有する後群からなり、ズーミングに際して隣り合うレンズ群の間隔が変化するズームレンズであって、前記後群は、フォーカシングに際して移動し負の屈折力を有するレンズ群ＬＦと、前記レンズ群ＬＦの像側に配置された負の屈折力を有するレンズ群ＬＮと、前記レンズ群ＬＮの像側に配置された正の屈折力を有する少なくとも１つのレンズ群と、を含み、前記正の屈折力を有する少なくとも１つのレンズ群のうち最も屈折力の大きなレンズ群ＬＰと前記レンズ群ＬＮは、広角端から望遠端へのズーミングに際して前記レンズ群ＬＰと前記レンズ群ＬＮの間隔が大きくなるようにそれぞれ物体側に移動し、前記レンズ群ＬＰの焦点距離をｆＬＰ、前記レンズ群ＬＦの焦点距離をｆＬＦとしたとき、
０．３６＜｜ｆＬＦ／ｆＬＰ｜＜１．３０
なる条件式を満足することを特徴とする。
【発明の効果】
【０００８】
本発明によれば、フォーカスレンズ群の駆動制御が容易で、広角端における射出瞳から像面までの距離を長くすることのできるポジティブリードタイプのズームレンズを実現できる。
【図面の簡単な説明】
【０００９】
【図１】広角端において無限遠に合焦したときの実施例１のズームレンズの断面図である。
【図２】無限遠に合焦したときの実施例１のズームレンズの収差図である。
【図３】物体距離０．４５ｍの物体に合焦したときの実施例１のズームレンズの収差図である。
【図４】広角端において無限遠に合焦したときの実施例２のズームレンズの断面図である。
【図５】無限遠に合焦したときの実施例２のズームレンズの収差図である。
【図６】物体距離０．３８ｍの物体に合焦したときの実施例２のズームレンズの収差図である。
【図７】広角端において無限遠に合焦したときの実施例３のズームレンズの断面図である。
【図８】無限遠に合焦したときの実施例３のズームレンズの収差図である。
【図９】物体距離０．７０ｍの物体に合焦したときの実施例３のズームレンズの収差図である。
【図１０】広角端において無限遠に合焦したときの実施例４のズームレンズの断面図である。
【図１１】無限遠に合焦したときの実施例４のズームレンズの収差図である。
【図１２】物体距離０．４５ｍの物体に合焦したときの実施例４のズームレンズの収差図である。
【図１３】撮像装置の概略図である。
【発明を実施するための形態】
【００１０】
以下、本発明のズームレンズおよびそれを有する撮像装置の実施例について説明する。各実施例のズームレンズはデジタルスチルカメラ、デジタルビデオカメラ、放送用カメラ、銀塩フィルムカメラ、監視カメラなどの撮像装置に用いられる撮像光学系である。また、各実施例のズームレンズはプロジェクタ用の投射光学系として用いることもできる。
【００１１】
図１，４，７，１０は、広角端において無限遠に合焦している場合の実施例１から４のズームレンズの断面図である。各断面図に示したＳＰは開口絞りである。ＩＰは像面であり、各実施例のズームレンズをビデオカメラやデジタルカメラの撮像光学系として用いる際には、ＣＣＤセンサやＣＭＯＳセンサ等の撮像素子が像面ＩＰに配置される。各実施例のズームレンズを銀塩フィルムカメラの撮像光学系として用いる際には、フィルムが像面ＩＰに配置される。また、各実施例のズームレンズをプロジェクタの投射光学系として用いる場合、像面ＩＰには光源からの光を変調して画像光を形成する光変調素子が配置される。光変調素子としては、液晶パネル等が用いられる。
【００１２】
また、各断面図に示したＩＳは防振機能を有するレンズ群を表わしている。垂直成分を含む方向にレンズ群ＩＳを移動させることにより、手ぶれ等に起因する像位置の変動を補正することができる。
【００１３】
各実施例のズームレンズは、物体側から像側へ順に配置された、正の屈折力を有する第１レンズ群Ｌ１、負の屈折力を有する第２レンズ群Ｌ２、複数のレンズ群を含み正の屈折力を有する後群ＬＢからなるポジティブリードタイプのズームレンズである。
【００１４】
各断面図に示した矢印は、広角端から望遠端へのズーミングに際しての各レンズ群の移動軌跡を模式的に表したものである。各実施例のズームレンズはズーミングに際して隣り合うレンズ群の間隔が変化する。レンズ断面図において、左側が物体側（プロジェクタ用の投射光学系においてはスクリーン側）で、右側が像側（プロジェクタ用の投射光学系においては原画側）である。
【００１５】
ここで、各実施例のズームレンズにおける後群ＬＢの構成について説明する。
【００１６】
後群ＬＢは、負の屈折力を有するレンズ群ＬＦとレンズ群ＬＦの像側に配置された負の屈折力を有するレンズ群ＬＮを有する。各実施例のズームレンズは、レンズ群ＬＦを光軸に沿う方向に移動させることによりフォーカシングを行うリアフォーカス方式をとっている。
【００１７】
第１レンズ群を移動させてフォーカシングを行う前玉フォーカス方式に対して、リアフォーカス方式は光線有効径が小さくなる位置に配置されたレンズ群でフォーカシングを行うため、フォーカスレンズ群を小型かつ軽量に構成することができる。そのため、迅速にフォーカシングを行うことができる。また、前玉フォーカス方式に比べて第１レンズ群の光線有効径が小さくなるため、ズームレンズを小型に構成することができる。
【００１８】
ここで、ズームレンズを大口径比化すると被写界深度が浅くなるため、フォーカスレンズ群の光軸上の移動量に対する結像面の移動量の比率（以下、フォーカス敏感度と称する）を比較的小さくする必要がある。フォーカス敏感度が大きいと、フォーカスレンズ群を高い精度で駆動する必要が生じ、フォーカスレンズ群の駆動制御が難しくなるためである。一方、フォーカス敏感度が小さすぎるとフォーカスレンズ群の駆動量が大きくなってしまい、フォーカスレンズ群の駆動機構が大型化したり、ズームレンズを小型に構成することが困難となったりする。
【００１９】
また、リアフォーカス方式は前玉フォーカス方式に比べてフォーカシング時の収差変動が大きく、特に近距離物体に合焦させたときに球面収差が大きくなってしまう傾向がある。
【００２０】
このため、リアフォーカス方式を用いる大口径のズームレンズにおいては、フォーカス敏感度を適正な範囲に設定しつつフォーカシングにおける収差変動を小さくすることが重要である。
【００２１】
そこで各実施例のズームレンズでは、フォーカシングに際して移動するレンズ群ＬＦの像側に負の屈折力のレンズ群ＬＮを設けている。後群ＬＢにおいて負の屈折力を有するレンズ群をレンズ群ＬＦとレンズ群ＬＮに分割して設けることにより、レンズ群ＬＦのフォーカス敏感度を小さくし、フォーカスレンズ群の駆動制御を容易にしている。さらに、レンズ群ＬＦの負の屈折力を小さくすることで、フォーカシングに伴う収差変動を低減している。
【００２２】
また、各実施例のズームレンズにおいて、レンズ群ＬＮの像側には少なくとも１つの正の屈折力を有するレンズ群が配置されている。レンズ群ＬＮの像側に正の屈折力を有するレンズ群を配置することにより、広角側における射出瞳から像面ＩＰまでの距離を長くすることができ、良好なテレセントリック性を得ることができるため、周辺光量の低下量を少なくすることができる。
【００２３】
また、各実施例のズームレンズにおいて、広角端から望遠端へのズーミングに際してレンズ群ＬＮの像側に配置された正の屈折力を有するレンズ群の中で最も屈折力の大きいレンズ群ＬＰを物体側に移動させている。これにより、望遠端でのレンズ群ＬＰにおける光線有効径を小さくすることができ、レンズ群ＬＰを小型化することができる。また、ズーミングに伴う射出瞳位置の変動を低減することが可能となり、撮像素子へ入射する軸外光線の入射角度の変動を小さくすることができる。
【００２４】
さらに、レンズ群ＬＰを物体側に移動することによる減倍分を補うために、広角端から望遠端へのズーミングに際してレンズ群ＬＮをレンズ群ＬＰとレンズ群ＬＮの間隔が大きくなるように物体側に移動させている。すなわち各実施例のズームレンズでは、広角端から望遠端へのズーミングに際してレンズ群ＬＰとレンズ群ＬＮを、レンズ群ＬＰとレンズ群ＬＮの間隔が大きくなるように物体側に移動させている。これにより、後群ＬＢの変倍分担量を増大させることができ、望遠端でのズームレンズの全長を短縮できる。
【００２５】
さらに、各実施例のズームレンズは、レンズ群ＬＦの焦点距離をｆＬＦ、レンズ群ＬＰの焦点距離をｆＬＰとしたとき、以下の式（１）を満足する構成となっている。
０．３６＜｜ｆＬＦ／ｆＬＰ｜＜１．３０  （１）
【００２６】
式（１）はフォーカスレンズ群であるレンズ群ＬＦとレンズ群ＬＰの焦点距離の比に関する。式（１）を満足することで、フォーカスレンズ群の駆動制御を容易にしつつ、広角端における射出瞳から像面ＩＰまでの距離を長くすることができる。
【００２７】
式（１）の上限値を上回るほどにレンズ群ＬＦの屈折力が小さくなると、フォーカス敏感度が小さくなりすぎる。この場合、所望の物体距離に合焦するために必要なレンズ群ＬＦの移動量が大きくなりすぎ、特に望遠端での全長短縮が困難となる。または、レンズ群ＬＰの屈折力が大きくなりすぎ、広角端での像面湾曲および歪曲収差の補正が困難となる。
【００２８】
一方、式（１）の下限値を下回る程にレンズ群ＬＦの屈折力が大きくなると、フォーカス敏感度が大きくなりすぎ、フォーカシングに際してのレンズ群ＬＦの駆動制御が困難となる。または、レンズ群ＬＰの屈折力が小さくなりすぎ、広角端における射出瞳から像面ＩＰまでの距離を十分に長くすることが困難となる。
【００２９】
さらに、各実施例のズームレンズは、望遠端でのズームレンズの焦点距離をｆｔとしたとき、以下の式（２）を満足することが好ましい。
０．２＜｜ｆＬＦ／ｆｔ｜＜１．０  （２）
なる条件式を満足するのが良い。
【００３０】
式（２）はレンズ群ＬＦの焦点距離を適切に設定するものである。式（２）を満足することで、レンズ群ＬＦを小型に構成しつつ良好な光学性能を得ることができる。
【００３１】
式（２）の上限値を上回る程にレンズ群ＬＦの屈折力が小さくなると、フォーカス敏感度が小さくなりすぎる。この場合、所望の物体距離に合焦するために必要なレンズ群ＬＦの移動量が大きくなりすぎ、フォーカスレンズ群の駆動機構が大型化してしまう。また、式（２）の下限値を下回る程にレンズ群ＬＦの屈折力が大きくなると、軸上色収差、球面収差の補正が困難となる。また、フォーカス敏感度が大きくなりすぎ、フォーカシングに際してのレンズ群ＬＦの駆動制御を高精度に行うことが困難となる。
【００３２】
また、各実施例のズームレンズは、広角端でのズームレンズの焦点距離をｆｗとしたとき、以下の条件式（３）を満足することが好ましい。
１．０＜ｆＬＰ／ｆｗ＜７．０  （３）
【００３３】
式（３）はレンズ群ＬＰの焦点距離を適切に設定するものである。式（３）を満足することで、広角端における射出瞳から像面ＩＰまでの距離を十分に長くすることができる。
【００３４】
式（３）の上限値を上回る程にレンズ群ＬＰの屈折力が小さくなると、広角端において射出瞳から像面ＩＰの距離を十分に長くすることが困難となる。また、式（３）の下限値を下回る程にレンズ群ＬＰの屈折力が大きくなると、広角端での像面湾曲、歪曲収差の補正が困難となる。
【００３５】
また、各実施例のズームレンズは、広角端から望遠端へのズーミングに伴うレンズ群ＬＰの移動量をｍＬＰ、望遠端でのズームレンズの焦点距離をｆｔとしたとき、以下の式（４）を満足することが好ましい。なお、ｍＬＰの符号はレンズ群ＬＰが像側から物体側に向かって移動する場合を正としている。
０．０５＜ｍＬＰ／ｆｔ＜０．５０  （４）
【００３６】
式（４）は、広角端から望遠端へのズーミングに伴うレンズ群ＬＰの移動量を適切に設定するものである。式（４）を満足することで、ズームレンズを小型に構成しつつ、ズーミングに伴う射出瞳位置の変動を低減することができる。
【００３７】
式（４）の上限値を上回る程にｍＬＰが大きくなると、望遠端でのズームレンズの全長が大きくなりすぎてしまう。
【００３８】
一方、式（４）の下限値を下回る程にｍＬＰが小さい場合、望遠端におけるレンズ群ＬＰの位置が像面ＩＰに近くなりすぎる結果、レンズ群ＬＰの径が大きくなりすぎてしまう。また、ズーミングに伴う射出瞳位置の変動が大きくなってしまう。
【００３９】
また、各実施例のズームレンズは、広角端でのレンズ群ＬＮとレンズ群ＬＰの間隔をｄｗ、望遠端でのレンズ群ＬＮとレンズ群ＬＰとの間隔をｄｔとしたとき、以下の条件式（５）を満足することが好ましい。なお、レンズ群ＬＮとレンズ群ＬＰの間隔とは、レンズ群ＬＮの最も像側のレンズ面から、レンズ群ＬＰの最も物体側のレンズ面までの光軸上の距離を言う。
０．０５＜（ｄｔ−ｄｗ）／ｆｔ＜０．５０  （５）
【００４０】
式（５）は、広角端と望遠端でのレンズ群ＬＮとレンズ群ＬＰの間隔の変化量を適切に設定するものである。式（５）を満足することで、広角端から望遠端へ変倍する際に、レンズ群ＬＮとレンズ群ＬＰの変倍分担を増大させることができ、望遠端におけるズームレンズの全長を短縮することができる。
【００４１】
式（５）の上限値を上回る程に広角端と望遠端でのレンズ群ＬＮとレンズ群ＬＰの間隔の変化量が大きくなると、望遠端でのズームレンズの全長が大きくなってしまう。また、ズーミングに伴う射出瞳位置の変動が大きくなってしまう。一方、式（５）の下限値を下回ると、広角端から望遠端へ変倍する際に、レンズ群ＬＮとレンズ群ＬＰで適切な倍率を確保することが困難となり、他のレンズ群の変倍分担が大きくなる。この場合、他のレンズ群の屈折力が大きくなるため、球面収差、像面湾曲の補正が困難となる。
【００４２】
また、各実施例のズームレンズは、広角端におけるレンズ群ＬＮの像側に配置されたレンズ群の合成横倍率をβｒｗ、望遠端におけるレンズ群ＬＮの像側に配置されたレンズ群の合成横倍率をβｒｔとしたとき、以下の式（６）を満足することが好ましい。なお、レンズ群ＬＮの像側に配置されたレンズ群が１つのみである場合は、そのレンズ群の広角端における横倍率がβｒｗ、望遠端における横倍率がβｒｔとなる。
１．０＜｜βｒｔ／βｒｗ｜＜２．０  （６）
【００４３】
式（６）はレンズ群ＬＮの像側に配置されたレンズ群の変倍分担を適切に設定するものである。式（６）を満足することで、広角端から望遠端へ変倍する際に、レンズ群ＬＮの像側に配置されたレンズ群によって倍率を増大させることができ、望遠端でのズームレンズの全長を短縮できる。
【００４４】
式（６）の上限値を上回ると、レンズ群ＬＮの像側に配置されたレンズ群の変倍分担が大きくなりすぎ、広角端での歪曲収差、像面湾曲の補正が困難となる。一方、式（６）の下限値を下回ると、レンズ群ＬＮの像側に配置されたレンズ群の変倍分担が小さくなりすぎ、他のレンズ群への変倍分担が大きくなる。このため、他のレンズ群の屈折力が大きくなりすぎ、球面収差、像面湾曲の補正が困難となる。
【００４５】
また、各実施例のズームレンズは、望遠端でのレンズ群ＬＦの横倍率をβＬＦｔ、レンズ群ＬＮの像側に配置されたレンズ群の望遠端での合成横倍率をβｒｔ、望遠端におけるＦナンバーをＦｎｏｔとしたとき、以下の条件式（７）を満足することが好ましい。
０．８＜｜（１−βＬＦｔ２）×βｒｔ２／Ｆｎｏｔ｜＜２．０  （７）
【００４６】
式（７）はフォーカスレンズ群ＬＦのフォーカス敏感度と望遠端のＦナンバーの比を適切に設定するものである。大口径ズームレンズではフォーカスレンズ群を高い精度で駆動制御する必要があるが、式（７）を満足することでフォーカス敏感度を小さくすることができ、フォーカスレンズ群であるレンズ群ＬＦの駆動制御をより容易に行うことができるようになる。
【００４７】
式（７）の上限値を上回ると、フォーカス敏感度が大きくなりすぎ、フォーカシングに際してのレンズ群ＬＦの駆動制御を高精度に行うことが困難となる。一方、式（７）の下限値を下回ると、フォーカス敏感度が小さくなりすぎ、所望の合焦距離に合焦するために必要なレンズ群ＬＦの移動量が大きくなり、望遠端におけるズームレンズの全長を短縮することが困難となる。
【００４８】
また、各実施例のズームレンズは、レンズ群ＬＦの最も物体側のレンズ面の曲率半径をｒ１、最も像側のレンズ面の曲率半径をｒ２とするとき、以下の式（８）を満足することが好ましい。
１．０＜（ｒ１＋ｒ２）／（ｒ１−ｒ２）＜３．０  （８）
【００４９】
式（８）はレンズ群ＬＦの形状を適切に設定するものである。式（８）を満足することで、フォーカスレンズ群であるレンズ群ＬＦの形状を像面ＩＰに対して同心円に近い面とすることが出来る。これにより、軸上光束は大きく屈折せずにレンズ群ＬＦを通過するようになるため、レンズ群ＬＦにおける球面収差の発生量を低減することができる。このため、望遠側のフォーカシングによる球面収差の変動を抑制することが出来る。
【００５０】
また、各実施例のズームレンズは、レンズ群ＬＮの焦点距離をｆＬＮとしたとき、以下の式（９）を満たすことが好ましい。
０．５＜ｆＬＦ／ｆＬＮ＜１．５  （９）
【００５１】
式（９）はフォーカスレンズ群ＬＦの焦点距離とレンズ群ＬＮの焦点距離の比の値として適切な範囲を規定するものである。式（９）を満足することで、レンズ群ＬＦを小型に構成しつつ良好な光学性能を得ることができる。
【００５２】
式（９）の上限値を上回る程にレンズ群ＬＦの屈折力が小さくなると、所望の合焦距離に合焦するために必要なレンズ群ＬＦの移動量が大きくなり、フォーカシングに伴う収差変動が大きくなってしまう。また、フォーカスレンズ群の駆動機構が大型化してしまう。または、レンズ群ＬＮの屈折力が大きくなりすぎ、広角端における射出瞳から像面ＩＰまでの距離を十分に長くすることが困難となる。
【００５３】
一方、式（９）の下限値を下回る程にレンズ群ＬＦの屈折力が大きくなると、軸上色収差、球面収差の補正が困難となる。
【００５４】
また、各実施例のズームレンズは、第１レンズ群Ｌ１の焦点距離をｆ１としたとき、以下の式（１０）を満たすことが好ましい。
０．３＜ｆ１／ｆｔ＜２．０  （１０）
【００５５】
式（１０）は第１レンズ群Ｌ１の焦点距離として適切な範囲を規定するものである。式（１０）の上限値を上回ると、広角端から望遠端へのズーミングに伴う第１レンズ群Ｌ１の移動量が大きくなってしまい、望遠端でのズームレンズの全長を短縮することが困難となる。一方、式（１０）の下限値を下回ると、高ズーム比化には有利だが、第１レンズ群Ｌ１の屈折力が大きくなりすぎ、望遠端における球面収差の補正が困難となる。
【００５６】
また、各実施例のズームレンズは、第２レンズ群Ｌ２の焦点距離をｆ２としたとき、以下の式（１１）を満たすことが好ましい。
０．５＜｜ｆ２／ｆｗ｜＜１．５  （１１）
【００５７】
式（１１）は第２レンズ群Ｌ２の焦点距離として適切な範囲を規定するものである。
【００５８】
式（１１）の上限値を上回る程に第２レンズ群Ｌ２の屈折力が小さくなると、広角端においてレトロフォーカス型の屈折力配置とするのが難しくなり、広角端におけるズームレンズの画角が狭くなってしまう。
【００５９】
一方、式（１１）の下限値を下回る程に第２レンズ群の屈折力が大きくなると、ズーミングに伴う球面収差、倍率色収差の変動が大きくなってしまう。また、この場合第２レンズ群による軸上光束の発散作用が大きくなり過ぎるために後群ＬＢを小型に構成することが困難となる。
【００６０】
なお、上述した式（１）から式（１１）の数値範囲は、以下の式（１ａ）から式（１１ａ）の範囲とすることがより好ましい。
０．４０＜｜ｆＬＦ／ｆＬＰ｜＜１．１５  （１ａ）
０．２＜｜ｆＬＦ／ｆｔ｜＜０．８  （２ａ）
１．５＜ｆＬＰ／ｆｗ＜６．５  （３ａ）
０．１＜ｍＬＰ／ｆｔ＜０．４  （４ａ）
０．０５＜（ｄｔ−ｄｗ）／ｆｔ＜０．４０  （５ａ）
１．１＜｜βｒｔ／βｒｗ｜＜１．７  （６ａ）
１．０＜｜（１−βＬＦｔ２）×βｒｔ２／Ｆｎｏｔ｜＜１．９  （７ａ）
１．３＜（ｒ１＋ｒ２）／（ｒ１−ｒ２）＜２．５  （８ａ）
０．６＜ｆＬＦ／ｆＬＮ＜１．２  （９ａ）
０．３５＜ｆ１／ｆｔ＜１．７０  （１０ａ）
０．６＜｜ｆ２／ｆｗ｜＜１．２  （１１ａ）
【００６１】
また、さらに好ましくは、上述した式（１）から式（１１）の数値範囲は、以下の式（１ｂ）から式（１１ｂ）の範囲とすると良い。
０．５０＜｜ｆＬＦ／ｆＬＰ｜＜１．０  （１ｂ）
０．２＜｜ｆＬＦ／ｆｔ｜＜０．７  （２ｂ）
２．０＜ｆＬＰ／ｆｗ＜５．０  （３ｂ）
０．１０＜ｍＬＰ／ｆｔ＜０．３０  （４ｂ）
０．０６＜（ｄｔ−ｄｗ）／ｆｔ＜０．３０  （５ｂ）
１．１２＜｜βｒｔ／βｒｗ｜＜１．５０  （６ｂ）
１．１＜｜（１−βＬＦｔ２）×βｒｔ２／Ｆｎｏｔ｜＜１．８  （７ｂ）
１．４＜（ｒ１＋ｒ２）／（ｒ１−ｒ２）＜２．３  （８ｂ）
０．７＜ｆＬＦ／ｆＬＮ＜１．１  （９ｂ）
０．５＜ｆ１／ｆｔ＜１．６  （１０ｂ）
０．７＜｜ｆ２／ｆｗ｜＜１．１  （１１ｂ）
【００６２】
さらに、レンズ群ＬＮはレンズ群ＬＦの像側に隣接して配置されていることが好ましい。レンズ群ＬＮとレンズ群ＬＦを隣接して配置することにより、ズームレンズの全長を短縮することができる。
【００６３】
また、レンズ群ＬＦは１枚の負レンズからなることが好ましい。これによりレンズ群ＬＦを小型に構成することができ、ズームレンズの全長を小型に構成することができる。また、レンズ群ＬＦを軽くすることができるため、迅速にフォーカシングを行うことができる。
【００６４】
また、レンズ群ＬＮは１枚の負レンズからなることが好ましい。これによりレンズ群ＬＮを小型に構成することができ、ズームレンズの全長を小型に構成することができる。また、レンズ群ＬＰは１枚の正レンズからなることが好ましい。これによりレンズ群ＬＰを小型に構成することができ、ズームレンズの全長を小型に構成することができる。
【００６５】
次に、各実施例のズームレンズについて詳しく説明する。
【００６６】
［実施例１］
実施例１のズームレンズは６群構成のズームレンズであり、正の屈折力の第１レンズ群Ｌ１、負の屈折力の第２レンズ群Ｌ２、正の屈折力を有する後群ＬＢからなる。後群ＬＢは、正の屈折力の第３レンズ群Ｌ３、負の屈折力の第４レンズ群Ｌ４、負の屈折力の第５レンズ群Ｌ５、正の屈折力の第６レンズ群Ｌ６からなる。レンズ断面図は図１に示した通りである。
【００６７】
実施例１のズームレンズにおいて、第４レンズ群Ｌ４は上述したレンズ群ＬＦに相当するレンズ群であり、無限遠から近距離へのフォーカシングに際して像側に移動する。第５レンズ群Ｌ５は第４レンズ群Ｌ４（レンズ群ＬＦ）の像側に配置されており、上述したレンズ群ＬＮに相当するレンズ群である。第６レンズ群Ｌ６は、第５レンズ群Ｌ５（レンズ群ＬＮ）の像側に配置された正の屈折力を有するレンズ群のうちで最も屈折力の強いレンズ群であり、上述したレンズ群ＬＰに相当する。
【００６８】
実施例１のズームレンズにおいて、広角端から望遠端へのズーミングに際して第１レンズ群Ｌ１は物体側へ移動する。第２レンズ群Ｌ２は第１レンズ群Ｌ１と第２レンズ群Ｌ２の間隔が大きくなるように物体側へ移動する。第３レンズ群Ｌ３は第２レンズ群Ｌ２と第３レンズ群Ｌ３の間隔が小さくなるように物体側へ移動する。第４レンズ群Ｌ４は第３レンズ群Ｌ３と第４レンズ群Ｌ４の間隔が小さくなるように物体側へ移動する。第５レンズ群Ｌ５は第４レンズ群Ｌ４と第５レンズ群の間隔が大きくなるように物体側へ移動する。第６レンズ群Ｌ６は第５レンズ群Ｌ５と第６レンズ群Ｌ６の間隔が大きくなるように物体側へ移動する。
【００６９】
広角端および望遠端において無限遠に合焦したときの実施例１のズームレンズの収差図を図２（ａ）および図２（ｂ）に示す。また、広角端および望遠端において物体距離０．４５ｍの物体に合焦したときの実施例１のズームレンズの収差図を図３（ａ）および図３（ｂ）に示す。
【００７０】
各収差図においてＦｎｏはＦナンバー、ωは半画角（度）である。球面収差図において、ｄ（実線）はｄ線（波長５８７．６ｎｍ）、ｇ（２点鎖線）はｇ線（波長４３５．８ｎｍ）である。非点収差図においてＳ（実線）はｄ線におけるサジタル像面、Ｍ（破線）はｄ線におけるメリディオナル像面である。歪曲収差はｄ線について示している。倍率色収差図はｇ線について示している。
【００７１】
［実施例２］
実施例２のズームレンズは６群構成のズームレンズであり、正の屈折力の第１レンズ群Ｌ１、負の屈折力の第２レンズ群Ｌ２、正の屈折力を有する後群ＬＢからなる。後群ＬＢは、正の屈折力の第３レンズ群Ｌ３、負の屈折力の第４レンズ群Ｌ４、負の屈折力の第５レンズ群Ｌ５、正の屈折力の第６レンズ群Ｌ６からなる。レンズ断面図は図４に示した通りである。
【００７２】
実施例２のズームレンズにおいて、第４レンズ群Ｌ４は上述したレンズ群ＬＦに相当するレンズ群であり、無限遠から近距離へのフォーカシングに際して像側に移動する。第５レンズ群Ｌ５は第４レンズ群Ｌ４（レンズ群ＬＦ）の像側に配置されており、上述したレンズ群ＬＮに相当するレンズ群である。第６レンズ群Ｌ６は、第５レンズ群Ｌ５（レンズ群ＬＮ）の像側に配置された正の屈折力を有するレンズ群のうちで最も屈折力の強いレンズ群であり、上述したレンズ群ＬＰに相当する。
【００７３】
実施例２のズームレンズにおいて、広角端から望遠端へのズーミングに際して第１レンズ群Ｌ１は物体側へ移動する。第２レンズ群Ｌ２は第１レンズ群Ｌ１と第２レンズ群Ｌ２の間隔が大きくなるように物体側へ移動する。第３レンズ群Ｌ３は第２レンズ群Ｌ２と第３レンズ群Ｌ３の間隔が小さくなるように物体側へ移動する。第４レンズ群Ｌ４は第３レンズ群Ｌ３と第４レンズ群Ｌ４の間隔が小さくなるように物体側へ移動する。第５レンズ群Ｌ５は第４レンズ群Ｌ４と第５レンズ群の間隔が大きくなるように物体側へ移動する。第６レンズ群Ｌ６は第５レンズ群Ｌ５と第６レンズ群Ｌ６の間隔が大きくなるように物体側へ移動する。
【００７４】
広角端および望遠端において無限遠に合焦したときの実施例２のズームレンズの収差図を図５（ａ）および図５（ｂ）に示す。また、広角端および望遠端において物体距離０．３８ｍの物体に合焦したときの実施例２のズームレンズの収差図を図６（ａ）および図６（ｂ）に示す。
【００７５】
［実施例３］
実施例３のズームレンズは７群構成のズームレンズであり、正の屈折力の第１レンズ群Ｌ１、負の屈折力の第２レンズ群Ｌ２、正の屈折力を有する後群ＬＢからなる。後群ＬＢは、正の屈折力の第３レンズ群Ｌ３、正の屈折力の第４レンズ群Ｌ４、負の屈折力の第５レンズ群Ｌ５、負の屈折力の第６レンズ群Ｌ６、正の屈折力の第７レンズ群からなる。レンズ断面図は図７に示した通りである。
【００７６】
実施例３のズームレンズにおいて、第５レンズ群Ｌ５は上述したレンズ群ＬＦに相当するレンズ群であり、無限遠から近距離へのフォーカシングに際して像側に移動する。第６レンズ群Ｌ６は第５レンズ群Ｌ５（レンズ群ＬＦ）の像側に配置されており、上述したレンズ群ＬＮに相当するレンズ群である。第７レンズ群Ｌ７は、第６レンズ群Ｌ６（レンズ群ＬＮ）の像側に配置された正の屈折力を有するレンズ群のうちで最も屈折力の強いレンズ群であり、上述したレンズ群ＬＰに相当する。
【００７７】
実施例３のズームレンズにおいて、広角端から望遠端へのズーミングに際して第１レンズ群Ｌ１は物体側へ移動する。第２レンズ群Ｌ２は第１レンズ群Ｌ１と第２レンズ群Ｌ２の間隔が大きくなるように物体側へ移動する。第３レンズ群Ｌ３は第２レンズ群Ｌ２と第３レンズ群Ｌ３の間隔が小さくなるように物体側へ移動する。第４レンズ群Ｌ４は第３レンズ群Ｌ３と第４レンズ群Ｌ４の間隔が小さくなるように物体側へ移動する。第５レンズ群Ｌ５は第４レンズ群Ｌ４と第５レンズ群の間隔が大きくなるように物体側へ移動する。第６レンズ群Ｌ６は第５レンズ群Ｌ５と第６レンズ群Ｌ６の間隔が大きくなるように物体側へ移動する。第７レンズ群Ｌ７は第６レンズ群Ｌ６と第７レンズ群Ｌ７の間隔が大きくなるように物体側へ移動する。
【００７８】
広角端および望遠端において無限遠に合焦したときの実施例３のズームレンズの収差図を図８（ａ）および図８（ｂ）に示す。また、広角端および望遠端において物体距離０．７０ｍの物体に合焦したときの実施例３のズームレンズの収差図を図９（ａ）および図９（ｂ）に示す。
【００７９】
［実施例４］
実施例４のズームレンズは７群構成のズームレンズであり、正の屈折力の第１レンズ群Ｌ１、負の屈折力の第２レンズ群Ｌ２、正の屈折力を有する後群ＬＢからなる。後群ＬＢは、正の屈折力の第３レンズ群Ｌ３、負の屈折力の第４レンズ群Ｌ４、負の屈折力の第５レンズ群Ｌ５、正の屈折力の第６レンズ群Ｌ６、正の屈折力の第７レンズ群Ｌ７からなる。レンズ断面図は図１０に示した通りである。
【００８０】
実施例４のズームレンズにおいて、第４レンズ群Ｌ４は上述したレンズ群ＬＦに相当するレンズ群であり、無限遠から近距離へのフォーカシングに際して像側に移動する。第５レンズ群Ｌ５は第４レンズ群Ｌ４（レンズ群ＬＦ）の像側に配置されており、上述したレンズ群ＬＮに相当するレンズ群である。第６レンズ群Ｌ６は、第５レンズ群Ｌ５（レンズ群ＬＮ）の像側に配置された正の屈折力を有するレンズ群のうちで最も屈折力の強いレンズ群であり、上述したレンズ群ＬＰに相当する。
【００８１】
実施例４のズームレンズにおいて、広角端から望遠端へのズーミングに際して第１レンズ群Ｌ１は物体側へ移動する。第２レンズ群Ｌ２は第１レンズ群Ｌ１と第２レンズ群Ｌ２の間隔が大きくなるように物体側へ移動する。第３レンズ群Ｌ３は第２レンズ群Ｌ２と第３レンズ群Ｌ３の間隔が小さくなるように物体側へ移動する。第４レンズ群Ｌ４は第３レンズ群Ｌ３と第４レンズ群Ｌ４の間隔が小さくなるように物体側へ移動する。第５レンズ群Ｌ５は第４レンズ群Ｌ４と第５レンズ群の間隔が大きくなるように物体側へ移動する。第６レンズ群Ｌ６は第５レンズ群Ｌ５と第６レンズ群Ｌ６の間隔が大きくなるように物体側へ移動する。また、第７レンズ群Ｌ７はズーミングに際して不動である。
【００８２】
広角端および望遠端において無限遠に合焦したときの実施例４のズームレンズの収差図を図１１（ａ）および図１１（ｂ）に示す。また、広角端および望遠端において物体距離０．４５ｍの物体に合焦したときの実施例４のズームレンズの収差図を図１２（ａ）、図１２（ｂ）に示す。
【００８３】
次に、上述した実施例１から実施例４のズームレンズに対応する数値実施例１から数値実施例４を示す。
【００８４】
各数値実施例の面データにおいて、ｒは各レンズ面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のアッベ数を表わしている。なおアッベ数νｄとは、フラウンホーファー線のｇ線、Ｆ線、ｄ線、Ｃ線に対する屈折率をそれぞれｎｇ、ｎＦ、ｎｄ、ｎＣとするとき以下の式（１２）で定義される値である。
νｄ＝（ｎｄ−１）／（ｎＦ−ｎＣ）  （１２）
【００８５】
各数値実施例の面データにおいて、非球面形状のレンズ面については面番号の後に＊（アスタリスク）の符号を付加している。また、非球面データには各非球面の非球面係数を示している。非球面係数における「ｅ±Ｚ」は「×１０±Ｚ」を意味している。レンズ面の非球面形状は、光軸方向における面頂点からの変位量をＸ、光軸方向に垂直な方向における光軸からの高さをＨ、近軸曲率半径をＲ、円錐定数をＫ、非球面係数をＡ４，Ａ６，Ａ８，Ａ１０、Ａ１２とするとき、以下の式（１３）により表される。
【００８６】
【数１】
2018146739.tif 000003
【００８７】
なお、各数値実施例において、焦点距離（ｍｍ）、Ｆナンバー、半画角（°）は全て各実施例のズームレンズが無限遠に焦点を合わせた時の値である。バックフォーカスＢＦは最終レンズ面から像面までの距離である。レンズ全長は第１レンズ面から最終レンズ面までの距離にバックフォーカスを加えた値である。
【００８８】
［数値実施例１］
単位 mm
面データ
面番号       r        d      nd        νd       有効径
1        360.812    1.80   1.84666    23.8       62.80
2        102.577    6.64   1.72916    54.7       60.93
3       -772.618    0.15                         60.54
4         54.305    6.51   1.72916    54.7       55.83
5        145.050  (可変)                         54.70
6*       195.122    1.80   1.76802    49.2       36.16
7         15.928   10.58                         25.29
8        -25.140    0.90   1.49700    81.5       23.93
9       -208.718    0.15                         23.27
10         47.367    2.32   1.89286    20.4       22.65
11        190.240  (可変)                         22.14
12(絞り)    ∞       0.50                         18.72
13         18.368    0.80   1.88300    40.8       20.01
14         13.125    7.95   1.58313    59.4       19.19
15*       -57.788    0.99                         18.82
16        -87.965    0.80   1.76200    40.1       18.45
17         16.252    3.22   2.00069    25.5       18.08
18         34.593    1.40                         17.70
19         15.903    0.80   2.00100    29.1       17.88
20         11.311    6.81   1.53775    74.7       16.78
21       6552.763    0.15                         16.11
22         39.790    0.80   1.85478    24.8       15.80
23         19.824    4.52   1.58313    59.4       15.92
24*       -36.018  (可変)                         16.42
25         64.857    0.80   1.57250    57.7       17.03
26         16.869  (可変)                         17.11
27*       -20.265    1.50   1.58313    59.4       22.44
28*       -77.916  (可変)                         27.23
29        -98.804    5.29   1.88300    40.8       35.44
30        -34.131  (可変)                         36.52
像面        ∞
非球面データ
第6面
K = 0.00000e+000  A 4= 7.28875e-006  A 6=-2.03079e-008  A 8= 6.78458e-011  A10=-1.61143e-013  A12= 1.59482e-016
第15面
K = 0.00000e+000  A 4= 2.25823e-005  A 6=-4.01819e-008  A 8=-1.92298e-010  A10= 3.85842e-013
第24面
K = 0.00000e+000  A 4= 4.03627e-005  A 6= 2.28646e-008  A 8= 1.73530e-010  A10=-8.03393e-012
第27面
K = 0.00000e+000  A 4=-9.10759e-006  A 6=-3.96094e-007  A 8= 1.03168e-009  A10= 4.30404e-012  A12=-1.28909e-013
第28面
K = 0.00000e+000  A 4=-1.23220e-005  A 6=-2.88150e-007  A 8= 2.01026e-009  A10=-1.01180e-011  A12= 1.58725e-014
各種データ
ズーム比      4.12
広角     中間     望遠
焦点距離       24.72    57.08   101.89
Fナンバー      4.12     4.12     4.12
画角          41.19    20.76    11.99
像高          21.64    21.64    21.64
レンズ全長   120.52   140.11   159.71
BF            13.52    18.44    26.90
d 5            0.70    18.51    35.81
d11           24.20     9.43     2.38
d24            1.58     2.26     0.96
d26           12.56    11.89    13.18
d28            0.78    12.42    13.30
d30           13.52    18.44    26.90
ズームレンズ群データ
群  始面    焦点距離
1    1      92.83
2    6     -20.76
3   12      22.08
4   25     -40.07
5   27     -47.42
6   29      56.87
【００８９】
［数値実施例２］
単位 mm
面データ
面番号       r        d      nd        νd       有効径
1        457.815    2.10   1.84666    23.8       68.31
2        102.115    6.44   1.77250    49.6       65.81
3       1437.112    0.15                         65.28
4         58.311    7.34   1.77250    49.6       59.87
5        182.081  (可変)                         58.58
6*       156.913    1.80   1.85400    40.4       39.98
7*        19.258    9.93                         29.40
8        -40.599    1.00   1.53775    74.7       28.42
9         25.229    6.70   1.85478    24.8       25.83
10        -75.996    3.99                         24.78
11        -27.960    1.55   1.51742    52.4       20.98
12        -22.614    0.90   2.00100    29.1       21.30
13        -44.959  (可変)                         22.40
14(絞り)    ∞       0.50                         24.33
15         26.600    3.79   1.43875    94.9       26.37
16         76.837    0.15                         26.33
17         26.884    1.00   1.88300    40.8       26.61
18         15.319   10.32   1.61881    63.9       24.85
19*       -79.194    0.96                         24.35
20       -101.307    0.90   1.72047    34.7       24.19
21         20.340    3.68   2.00100    29.1       24.01
22         41.892    3.51                         23.68
23         28.473    0.90   2.00100    29.1       24.29
24         17.666    9.43   1.72916    54.7       23.28
25*       -26.848  (可変)                         22.69
26         61.322    0.80   1.83481    42.7       21.51
27         23.239  (可変)                         20.99
28*       -25.127    1.50   1.85400    40.4       22.71
29*       -69.764  (可変)                         26.23
30        -44.620    3.96   2.00100    29.1       35.54
31        -28.914  (可変)                         36.53
像面        ∞
非球面データ
第6面
K = 0.00000e+000  A 4=-1.41095e-006  A 6= 3.45657e-008  A 8=-1.07605e-010  A10= 1.58603e-013  A12=-8.57988e-017
第7面
K = 0.00000e+000  A 4=-7.83038e-006  A 6= 1.45488e-008  A 8= 9.28901e-011  A10=-5.25682e-013
第19面
K = 0.00000e+000  A 4= 2.38855e-005  A 6=-1.01986e-008  A 8=-1.01928e-011  A10= 4.97492e-014
第25面
K = 0.00000e+000  A 4= 2.75519e-005  A 6=-3.81740e-008  A 8= 2.22228e-011  A10= 7.70144e-015
第28面
K = 0.00000e+000  A 4= 8.71027e-006  A 6=-7.11280e-007  A 8= 2.97814e-009  A10=-9.93103e-012  A12=-3.41237e-014
第29面
K = 0.00000e+000  A 4= 7.65026e-006  A 6=-5.84476e-007  A 8= 3.80156e-009  A10=-1.61546e-011  A12= 2.91996e-014
各種データ
ズーム比      2.75
広角     中間     望遠
焦点距離      24.72    47.12    67.87
Fナンバー     2.91     2.91     2.91
画角          41.19    24.66    17.68
像高          21.64    21.64    21.64
レンズ全長   131.52   148.87   166.23
BF            18.27    22.71    26.93
d 5            0.70    14.03    27.17
d13           16.79     5.47     2.37
d25            1.63     1.82     0.96
d27            9.90     9.72    10.57
d29            0.91    11.81    14.90
d31           18.27    22.71    26.93
ズームレンズ群データ
群  始面    焦点距離
1    1     102.24
2    6     -20.14
3   14      23.07
4   26     -45.26
5   28     -46.71
6   30      72.87
【００９０】
［数値実施例３］
単位 mm
面データ
面番号       r        d      nd        νd       有効径
1        238.414    2.10   1.95375    32.3       66.00
2        106.904    6.14   1.49700    81.5       61.97
3      -2696.186    0.15                         61.86
4        100.111    5.67   1.49700    81.5       61.16
5       1039.311    0.15                         60.75
6         78.303    5.25   1.49700    81.5       58.47
7        247.955  (可変)                         57.77
8*       382.720    1.00   1.85135    40.1       32.74
9*        15.693    9.93                         24.38
10        -20.916    0.80   1.49700    81.5       22.95
11         76.879    0.15                         22.38
12         58.907    4.49   1.92119    24.0       22.59
13        -39.904    3.50                         23.23
14        -21.252    0.85   1.95375    32.3       23.53
15        -33.913  (可変)                         24.96
16(絞り)    ∞       0.39                         26.83
17*        25.080    7.85   1.63980    34.5       29.98
18*       -83.068    0.15                         29.62
19         52.557    5.62   1.51633    64.1       28.30
20       -151.305    0.15                         26.87
21       -349.132    0.90   2.00100    29.1       26.44
22         18.277    6.54   1.51742    52.4       24.36
23        190.216  (可変)                         24.51
24         31.222    0.80   2.00069    25.5       25.30
25         16.268    9.12   1.76200    40.1       24.08
26        702.918    0.73                         23.57
27       1024.579    2.77   1.58313    59.4       23.43
28*       -45.978  (可変)                         23.26
29        184.776    3.56   2.00069    25.5       18.22
30        -26.133    0.75   1.95375    32.3       18.24
31         41.415  (可変)                         18.23
32         86.680    1.10   2.00100    29.1       23.11
33         18.513    7.29   1.61293    37.0       23.47
34       1330.468    0.15                         25.29
35        121.215   11.40   1.71736    29.5       26.10
36        -17.028    1.30   1.91082    35.3       27.67
37*     17502.678  (可変)                         32.50
38         63.160    3.42   1.85478    24.8       36.60
39        349.390    1.30   2.00100    29.1       36.57
40        131.704  (可変)                         36.51
像面        ∞
非球面データ
第8面
K = 0.00000e+000  A 4= 3.01361e-007  A 6= 2.50588e-008  A 8=-3.48140e-011  A10= 4.64746e-014
第9面
K = 0.00000e+000  A 4=-1.97615e-005  A 6=-3.80863e-008
第17面
K = 0.00000e+000  A 4=-5.89468e-006  A 6=-3.70002e-009  A 8=-2.36358e-012  A10=-2.05744e-014
第18面
K = 0.00000e+000  A 4= 6.90751e-006  A 6=-3.91500e-009
第28面
K = 0.00000e+000  A 4= 5.47126e-006  A 6=-8.28986e-009  A 8=-1.65522e-011  A10=-1.78623e-013
第37面
K = 0.00000e+000  A 4=-7.62243e-006  A 6=-7.72939e-009  A 8= 2.74005e-012  A10=-3.54345e-014
各種データ
ズーム比     11.77
広角     中間     望遠
焦点距離      24.72    90.83   290.86
Fナンバー     4.12     5.00     5.88
画角          41.19    13.40     4.25
像高          21.64    21.64    21.64
レンズ全長   165.57   210.57   255.57
BF            14.37    32.56    30.89
d 7            0.69    36.77    67.77
d15           29.33     9.51     0.59
d23            2.42     1.00     2.40
d28            1.00     8.71     7.67
d31           11.28    11.05    20.62
d37            1.00     5.48    20.13
d40           14.37    32.56    30.89
ズームレンズ群データ
群  始面    焦点距離
1    1     114.54
2    8     -15.91
3   16      47.18
4   24      35.80
5   29     -64.31
6   32     -63.57
7   38     151.52
【００９１】
［数値実施例４］
単位 mm
面データ
面番号       r        d      nd        νd       有効径
1        429.229    1.80   1.84666    23.8       63.30
2        129.679    5.26   1.72916    54.7       62.03
3      -2279.753    0.15                         61.68
4         63.144    6.14   1.72916    54.7       57.94
5        181.719  (可変)                         56.96
6*       444.999    1.80   1.76802    49.2       41.04
7         18.334   12.32                         29.25
8        -28.007    0.90   1.49700    81.5       28.19
9        -87.991    0.15                         27.90
10         54.487    2.54   1.89286    20.4       27.05
11        197.466  (可変)                         26.54
12(絞り)    ∞       0.50                         21.36
13         21.758    0.80   1.88300    40.8       22.63
14         15.435    8.36   1.58313    59.4       21.81
15*       -56.674    0.99                         21.48
16       -101.283    0.80   1.76200    40.1       21.03
17         18.419    3.45   2.00069    25.5       20.57
18         39.245    1.67                         20.17
19         18.103    0.80   2.00100    29.1       20.30
20         12.952    9.83   1.53775    74.7       19.12
21        -82.340    0.15                         17.92
22         76.800    0.80   1.85478    24.8       17.36
23         28.145    4.03   1.58313    59.4       16.77
24*       -50.736  (可変)                         17.21
25         58.045    0.80   1.57250    57.7       17.90
26         17.128  (可変)                         17.92
27*       -23.790    1.50   1.58313    59.4       22.82
28*       -93.823  (可変)                         27.09
29        -63.749    4.68   1.88300    40.8       35.43
30        -32.022  (可変)                         36.51
31        155.829    1.91   1.83481    42.7       42.15
32        351.247  (可変)                         42.14
像面        ∞
非球面データ
第6面
K = 0.00000e+000  A 4= 6.53773e-006  A 6=-1.12142e-008  A 8= 2.35316e-011  A10=-3.77465e-014  A12= 2.66659e-017
第15面
K = 0.00000e+000  A 4= 1.55231e-005  A 6=-2.87309e-008  A 8= 2.20515e-011  A10=-1.77413e-013
第24面
K = 0.00000e+000  A 4= 2.54826e-005  A 6= 5.96854e-008  A 8=-7.03456e-010  A10= 1.54199e-012
第27面
K = 0.00000e+000  A 4=-4.25162e-006  A 6=-3.98601e-007  A 8= 1.32578e-009  A10= 1.61897e-012  A12=-9.58394e-014
第28面
K = 0.00000e+000  A 4=-3.65848e-006  A 6=-3.41509e-007  A 8= 2.38399e-009  A10=-1.18165e-011  A12= 1.84765e-014
各種データ
ズーム比      4.12
広角     中間     望遠
焦点距離      24.72    60.36   101.89
Fナンバー      4.12     4.12     4.12
画角          41.19    19.72    11.99
像高          21.64    21.64    21.64
レンズ全長   134.63   158.14   181.65
BF            14.13    14.13    14.13
d 5            0.70    22.69    40.35
d11           32.05    12.53     4.85
d24            2.24     2.49     1.00
d26           11.82    11.57    13.06
d28            0.79    15.17    16.86
d30            0.79     7.45    19.28
d32           14.13    14.13    14.13
ズームレンズ群データ
群  始面    焦点距離
1    1     110.32
2    6     -25.11
3   12      25.20
4   25     -42.74
5   27     -55.09
6   29      68.15
7   31     334.02
【００９２】
各数値実施例における種々の数値を表１にまとめて示す。
【００９３】
【表１】
2018146739.tif 000004
【００９４】
［撮像装置］
図１３は、本発明の一実施形態としての撮像装置（デジタルスチルカメラ）１００の概略図である。本実施形態の撮像装置１００は、カメラ本体７０と、上述した実施例１から４のいずれかのズームレンズと同様であるズームレンズ７１と、ズームレンズ７１によって形成される像を光電変換する撮像素子７２を備える。受光素子７２としては、ＣＣＤセンサやＣＭＯＳセンサ等の撮像素子を用いることができる。
【００９５】
本実施形態の撮像装置１００は、実施例１から４のいずれかのズームレンズと同様であるズームレンズ７１を有するため、フォーカスレンズ群の駆動制御が容易である。また、広角端における射出瞳から像面までの距離が長くなっているため、画面の中心から周辺にわたって高品位な画像を得ることができる。
【００９６】
なお、上述した各実施例のズームレンズは、図１３に示したデジタルスチルカメラに限らず、銀塩フィルム用カメラやビデオカメラ、望遠鏡等の種々の光学機器に適用することができる。
【００９７】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００９８】
Ｌ１  第１レンズ群
Ｌ２  第２レンズ群
ＬＢ  後群
【図１】
2018146739.tif 000005
【図２】
2018146739.tif 000006
【図３】
2018146739.tif 000007
【図４】
2018146739.tif 000008
【図５】
2018146739.tif 000009
【図６】
2018146739.tif 000010
【図７】
2018146739.tif 000011
【図８】
2018146739.tif 000012
【図９】
2018146739.tif 000013
【図１０】
2018146739.tif 000014
【図１１】
2018146739.tif 000015
【図１２】
2018146739.tif 000016
【図１３】
2018146739.tif 000017
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力を有する第１レンズ群、負の屈折力を有する第２レンズ群、複数のレンズ群を含み正の屈折力を有する後群からなり、ズーミングに際して隣り合うレンズ群の間隔が変化するズームレンズであって、
前記後群は、フォーカシングに際して移動し負の屈折力を有するレンズ群ＬＦと、前記レンズ群ＬＦの像側に配置された負の屈折力を有するレンズ群ＬＮと、前記レンズ群ＬＮの像側に配置された正の屈折力を有する少なくとも１つのレンズ群と、を含み、
前記正の屈折力を有する少なくとも１つのレンズ群のうち最も屈折力の大きなレンズ群ＬＰと前記レンズ群ＬＮは、広角端から望遠端へのズーミングに際して前記レンズ群ＬＰと前記レンズ群ＬＮの間隔が大きくなるようにそれぞれ物体側に移動し、
前記レンズ群ＬＰの焦点距離をｆＬＰ、前記レンズ群ＬＦの焦点距離をｆＬＦとしたとき、
０．３６＜｜ｆＬＦ／ｆＬＰ｜＜１．３０
なる条件式を満足することを特徴とするズームレンズ。
【請求項２】
望遠端における前記ズームレンズの焦点距離をｆｔとしたとき、
０．２＜｜ｆＬＦ／ｆｔ｜＜１．０
なる条件式を満足することを特徴とする請求項１に記載のズームレンズ。
【請求項３】
広角端における前記ズームレンズの焦点距離をｆｗとしたとき、
１．０＜ｆＬＰ／ｆｗ＜７．０
なる条件式を満足することを特徴とする請求項１または２に記載のズームレンズ。
【請求項４】
広角端から望遠端へのズーミングに伴う前記レンズ群ＬＰの移動量をｍＬＰ、望遠端での前記ズームレンズの焦点距離をｆｔとしたとき、
０．０５＜ｍＬＰ／ｆｔ＜０．５０
なる条件式を満足することを特徴とする請求項１乃至３のいずれか１項に記載のズームレンズ。
【請求項５】
広角端での前記レンズ群ＬＮと前記レンズ群ＬＰの間隔をｄｗ、望遠端での前記レンズ群ＬＮと前記レンズ群ＬＰの間隔をｄｔ、望遠端での前記ズームレンズの焦点距離をｆｔとしたとき、
０．０５＜（ｄｔ−ｄｗ）／ｆｔ＜０．５０
なる条件式を満足することを特徴とする請求項１乃至４のいずれか１項に記載のズームレンズ。
【請求項６】
前記レンズ群ＬＮの像側に配置されたレンズ群の広角端での合成横倍率をβｒｗ、前記レンズ群ＬＮの像側に配置されたレンズ群の望遠端での合成横倍率をβｒｔとしたとき、
１．０＜｜βｒｔ／βｒｗ｜＜２．０
なる条件式を満足することを特徴とする請求項１乃至５のいずれか１項に記載のズームレンズ。
【請求項７】
望遠端での前記レンズ群ＬＦの横倍率をβＬＦｔ、前記レンズ群ＬＮの像側に配置されたレンズ群の望遠端での合成横倍率をβｒｔ、望遠端での前記ズームレンズのＦナンバーをＦｎｏｔとしたとき、
０．８＜｜（１−βＬＦｔ２）×βｒｔ２／Ｆｎｏｔ｜＜２．０
なる条件式を満足することを特徴とする請求項１乃至６のいずれか１項に記載のズームレンズ。
【請求項８】
前記レンズ群ＬＦにおける最も物体側のレンズ面の曲率半径をｒ１、前記レンズ群ＬＦにおける最も像側のレンズ面の曲率半径をｒ２とするとき、
１．０＜（ｒ１＋ｒ２）／（ｒ１−ｒ２）＜３．０
なる条件式を満足することを特徴とする請求項１乃至７のいずれか１項に記載のズームレンズ。
【請求項９】
前記レンズ群ＬＮの焦点距離をｆＬＮとしたとき、
０．５＜ｆＬＦ／ｆＬＮ＜１．５
なる条件式を満たすことを特徴とする請求項１乃至８のいずれか１項に記載のズームレンズ。
【請求項１０】
前記第１レンズ群の焦点距離をｆ１、望遠端における前記ズームレンズの焦点距離をｆｔとしたとき、
０．３＜ｆ１／ｆｔ＜２．０
なる条件式を満足することを特徴とする請求項１乃至９のいずれか１項に記載のズームレンズ。
【請求項１１】
前記第２レンズ群の焦点距離をｆ２、広角端における前記ズームレンズの焦点距離をｆｗとしたとき、
０．５＜｜ｆ２／ｆｗ｜＜１．５
なる条件式を満足することを特徴とする請求項１乃至１０のいずれか１項に記載のズームレンズ。
【請求項１２】
前記レンズ群ＬＦは１枚の負レンズからなることを特徴とする請求項１乃至１１のいずれか１項に記載のズームレンズ。
【請求項１３】
前記レンズ群ＬＮは前記レンズ群ＬＦに隣接して配置されていることを特徴とする請求項１乃至１２のいずれか１項に記載のズームレンズ。
【請求項１４】
前記レンズ群ＬＮは１枚の負レンズからなることを特徴とする請求項１乃至１３のいずれか１項に記載のズームレンズ。
【請求項１５】
前記レンズ群ＬＰは１枚の正レンズからなることを特徴とする請求項１乃至１４のいずれか１項に記載のズームレンズ。
【請求項１６】
前記レンズ群ＬＰは、広角端から望遠端へのズーミングに際して物体側へ単調に移動することを特徴とする請求項１乃至１５のいずれか一項に記載のズームレンズ。
【請求項１７】
請求項１乃至１６のいずれか１項に記載のズームレンズと、該ズームレンズによって形成される像を受光する撮像素子を有することを特徴とする撮像装置。